(57)【要約】【課題】  磁気カードの磁気情報の不正な読み取りを抑制しつつ、カード処理装置の磁気情報の読取性能を維持することを可能にする。【解決手段】  カードを挟持して搬送する一対の搬送ローラをカードの搬送方向に複数並べた搬送路と、上記搬送ローラの回転を制御して、上記カード搬送路におけるカードの搬送を制御するカード搬送制御手段と、上記カード搬送路を搬送されているカードに記録されている磁気カードの磁気情報を読み取る手段を備えているカード処理装置において、カード処理装置の本体内部で、カードを前方から後方へ間欠搬送し、搬送停止し、さらにカードを逆方向に間欠搬送を行う一連の処理中の所定のタイミングで磁気カードの読み取りを行うことによって、不正装置の磁気カードの読み取りを抑制するカード処理装置を構成する。【選択図】図１
2018173684.tif 000002
【特許請求の範囲】
【請求項１】
カードを挿入および排出する挿入排出口と、挿入されたカードを所定の位置へ搬送する搬送路と、前記搬送路上に設けられ、前記カードを搬送することによって前記カードの磁気情報を読み取る磁気ヘッドと、前記カードの搬送および磁気情報の読取の制御を行う制御部と、からなるカード処理装置であって、
前記制御部は、
前記挿入されたカードが前記磁気ヘッドを通過するまで間欠搬送を行い、その後、その逆方向へ前記磁気ヘッドを通過するまで間欠搬送を行う第一の間欠搬送処理と、
前記挿入口から前記カード処理装置の内部へ向かって前記カードを一定速度で搬送させ、前記磁気ヘッドにて前記カードの磁気情報の読取もしくは書込を行う磁気データ読取書込処理と、
前記カード処理装置の内部から前記挿入口へ向かう方向へ前記カードが前記磁気ヘッドを通過するまで間欠搬送を行い、その後、その逆方向へ前記磁気ヘッドを通過するまで間欠搬送を行う第二の間欠搬送処理と、
を順に行って前記カードの情報を読取もしくは書込を行うことを特徴とするカード処理装置。
【請求項２】
請求項１に記載のカード処理装置であって、
前記第一の間欠搬送処理、および、前記第二の間欠搬送処理は、それぞれ１以上の任意の回数を実施することを特徴とするカード処理装置。
【請求項３】
請求項１または２に記載のカード処理装置であって、
前記第一の間欠搬送処理、もしくは、前記第二の間欠搬送処理における搬送方向の切り替えは、前記カードがその搬送方向の全長よりも短い距離を搬送したタイミングで行うことを特徴とするカード処理装置。
【請求項４】
請求項１または２に記載のカード処理装置であって、
前記第一の間欠搬送処理、もしくは、前記第二の間欠搬送処理における搬送方向の切り替えは、前記カードがその搬送方向の全長よりも長い距離を搬送したタイミングで行うことを特徴とするカード処理装置。
【請求項５】
請求項１〜４のいずれかに記載のカード処理装置であって、
前記磁気データ読取書込処理では、前記挿入口から前記カード処理装置の内部へ向かって前記カードを予め定めた複数の速度で可変させながら搬送させ、前記磁気ヘッドにて前記カードの磁気情報の読取もしくは書込を行うことを特徴とするカード処理装置。
【請求項６】
カードを挿入および排出する挿入排出口と、挿入されたカードを所定の位置へ搬送する搬送路と、前記搬送路上に設けられ、前記カードを搬送することによって前記カードの磁気情報を読み取る磁気ヘッドと、前記カードの搬送および磁気情報の読取の制御を行う制御部と、からなるカード処理装置であって、
前記制御部は、
前記挿入口から前記カード処理装置の内部へ向かって前記カードを予め定めた複数の速度で可変させながら搬送させ、前記磁気ヘッドにて前記カードの磁気情報の読取もしくは書込を行う磁気データ読取書込処理を行うことを特徴とするカード処理装置。
【請求項７】
請求項１〜６のいずれかに記載のカードの処理装置を搭載した自動取引装置。
【発明の詳細な説明】
【技術分野】
【０００１】
本発明は、磁気カードを取り込んで処理を行うカード処理装置に関する。
【背景技術】
【０００２】
ＡＴＭ（現金自動預金支払機）などの自動取引装置には、磁気カードに対して情報の処理を行うカード処理装置が搭載されている。カード処理装置は、カード挿入口から挿入された磁気カードを本体内に取り込んで、磁気カードの磁気ストライプに記録された磁気情報を磁気ヘッドで読み取り、書き込みを行う。そして取引終了後に磁気カードを本体内からカード挿入口に排出する。
【０００３】
磁気ヘッド、又は磁気センサを備えた偽のカード挿入排出口を有する不正装置をＡＴＭの正規のカード挿入排出口に被せるように設置し、磁気カードの磁気情報を不正に取得するスキミングと呼ばれる犯罪がある。その不正装置がカード処理装置の本体内部に設置される場合もある。
【０００４】
不正装置はカード処理装置のカードの磁気ストライプが通過する位置に取り付けられ、利用者がそのカード処理装置の挿入口から磁気カードを挿入した場合、磁気カードが不正装置を通過する時に、不正装置は磁気カードに記録されている磁気情報を不正に読み取ることができる。
【０００５】
カード挿入口の前に装着された不正装置に対するスキミングの防止対策として、カードがカード処理装置の本体内に挿入、および排出する時に、つまり、カードの一部がカード処理装置の前方に突出している時に、カード搬送、停止、又は逆方向搬送を繰り返すことで、不正装置が磁気カードの磁気情報を読み取れないように妨害する技術がある（例えば特許文献１乃至３）。
【先行技術文献】
【特許文献】
【０００６】
【特許文献１】米国特許第６４６０７７１Ｂ１号明細書
【特許文献２】特開２００４−１７１２０５号公報
【特許文献３】特開２００１−２２８９４号公報
【発明の概要】
【発明が解決しようとする課題】
【０００７】
特許文献１、２および３に記載された不正対策の場合、カード処理装置本体の磁気ヘッドで磁気カードを読み書きするために、カードをカード処理装置本体に取り込んだ後は一定速度でカードを搬送する必要があった。しかし、不正装置がカード搬送路などのカード処理装置の本体内部に装着された場合、これらの発明では、不正装置の磁気カード情報の読み取りを防げないという課題があった。
【０００８】
本発明の目的は、カード処理装置のカード搬送路などの本体内部に装着された不正装置の不正な磁気カードの情報読取りを防止し、且つ、カード処理装置自身は、磁気カードの磁気情報の読取り及び書込みを行う技術を提供することである。
【課題を解決するための手段】
【０００９】
カードを挟持して搬送する一対の搬送ローラをカードの搬送方向に複数並べた搬送路と、上記搬送ローラの回転を制御して、上記カード搬送路におけるカードの搬送を制御するカード搬送制御手段と、上記カード搬送路を搬送されているカードに記録されている磁気カードの磁気情報を読み取る手段を備えているカード処理装置において、カード処理装置の本体内部で、カードを前方から後方へ間欠搬送し、搬送停止し、さらにカードを逆方向に間欠搬送を行う一連の処理中の所定のタイミングで磁気カードの読み取りを行うことによって、不正装置の磁気カードの読み取りを抑制するカード処理装置を構成する。さらに、カード処理装置において搬送速度を複数の速度へ切り替えながら搬送する構成を組み合わせることによって、不正装置からのカード情報の読み取りを防止しつつ、自身は正しくカード情報を読み取り、書き込みを行うカード処理装置を構成する。
【発明の効果】
【００１０】
カード処理装置の本体内部に装着された不正装置が磁気カードの磁気情報の読み取りを妨害しつつ、カード処理装置は、磁気カードのカード情報を読取り、書込みができる。
【図面の簡単な説明】
【００１１】
【図１】本発明の実施例における自動取引装置及びカード処理装置のブロック図である。
【図２】本発明の実施例におけるカード処理装置の内部構成の概略図である。
【図３（ａ）】本発明の第一実施例におけるカード処理装置の動作を示すフロー図である。
【図３（ｂ）】本発明の第一実施例におけるカード処理装置の動作を示すフロー図である。
【図４（ａ）】本発明の第二実施例におけるカード処理装置の動作を示すフロー図である。
【図４（ｂ）】本発明の第二実施例におけるカード処理装置の動作を示すフロー図である。
【図５】本発明の第二実施例におけるカード処理装置のカード搬送速度を示すテーブル表である。
【発明を実施するための形態】
【００１２】
本発明の実施形態について図面を用いて説明する。
図１に示すように本発明の実施形態であるカード処理装置２は自動取引装置１へ搭載される。すなわち、自動取引装置１はカード処理装置２を有する。自動取引装置１は例えばＡＴＭである。自動取引装置（ＡＴＭ）は、カード処理装置２以外にも紙幣や硬貨を処理する紙幣処理部・硬貨処理部や、顧客が取引操作を行う顧客操作部等を有しているが、ここでは省略する。
【００１３】
カード処理装置１は、制御部１０、磁気情報書込部３、磁気情報読取部４、カード搬送路５、カード位置センサ６、メモリ７、ホストインタフェース８、およびカード搬送機構９を有している。
【００１４】
制御部１０は、カード処理装置２の全体の動作を制御する処理部であり、カード書込制御部１１、カード読取制御部１２、カード搬送制御部１３を含んでいる。カード搬送制御部１３は、磁気カードの搬送を制御する。
【００１５】
カード搬送路５は、後述する図２において破線５で示され、磁気カードが搬送される経路である。カード搬送機構９は、挿入口から挿入された磁気カードをカード搬送路５内で搬送する機構である。磁気情報読取部４は、カード搬送路５に配置され、磁気カードに記録されている磁気情報を読み取る。磁気情報書込部３は、カード搬送路５に配置され、磁気カードに磁気情報を書き込む。
【００１６】
カード位置センサ６は、カード搬送路５を搬送される磁気カードの位置を検知する。メモリ７は、制御部１０が必要に応じて各種情報を格納する記憶部である。ホストインタフェース８は、カード処理装置２が設けられる自動取引装置１（ＡＴＭなど）の全体装置と接続され、カード処理装置２が全体装置と連携するための情報を送受信するためのインタフェースである。例えば、磁気カードから読み取られた磁気情報はホストインタフェース８を介して自動取引装置に通知される。
【００１７】
図２は、この発明の実施形態であるカード処理装置の内部構成を示す概略図である。この実施形態のカード処理装置２は、カード２１を挿入する挿入口２０が前方に設けられている。挿入口２０には、このカード２１が挿入されたことを検知するセンサ２２を有している。センサ２２は押圧センサであり、挿入されたカードによって押圧させる位置に配置されている。２３はシャッタであり、カード挿入・排出時に開閉状態が制御される。
【００１８】
２４はカードを挟持して搬送する一対の搬送ローラ２４であり、カードの搬送方向に並べられている。本実施例では４対の搬送ローラ２４を有している。搬送ローラ２４はそれぞれ一方がモータの回転力が伝達される搬送ローラであり、他方がこの搬送ローラに従動して回転する従動ローラである。搬送ローラを駆動するモータは１つである。
【００１９】
カード搬送制御部１３は、このモータの回転（回転方向、回転速度を含む）、及び停止を制御する。搬送路５にはカード有無を検出するセンサ２５がある。センサ２５は発光部と受光部とからなる光センサであり、搬送路を挟んで発光部と受光部とを対向させて配置している。
【００２０】
２６はカード処理装置２の本体内に搬送されたカードの磁気ストライプに記録された磁気情報を読取る、又は書き込む磁気ヘッドである。磁気ヘッド２６はカードデータの書込み部、及び読取り部と接続されている。
【００２１】
不正装置２７は図２に示すように、カード処理装置２の本体内のカード搬送路近傍に取り付けられる小型の装置である。不正装置２７には磁気ヘッド及びメモリなどが設けられている。不正装置が取り付けられた場合、磁気カード２１が不正装置を通過した時に、磁気カード２１の磁気情報が不正に読取られる。
【実施例１】
【００２２】
以下、この実施形態のカード処理装置２の動作について説明する。図３はカード挿入時に不正装置２７のカード情報の読取りを妨害しながら、磁気カード２１のカード情報を読み取り、又は書込む動作のフローチャートである。
【００２３】
顧客等によってカードがカード処理装置２へ挿入されると（ステップＳ１）、カード処理装置２は磁気カード２１の挿入を検知し（ステップＳ２）、シャッタ２３を開ける（ステップＳ３）。それまでに実行した間欠搬送の回数が所定の回数（Ｎ回）未満であるかを判断し（ステップＳ４）、所定回数未満であれば（ステップＳ４でＮｏの場合）、モータを正方向（磁気カード２１が挿入口２０から内部へ取り込まれる方向）に回転させ、カードを正方向に間欠搬送させる（ステップＳ５）。
【００２４】
ここで間欠搬送とは、モータを正方向に駆動、停止、又は逆方向（磁気カード２１が装置内部から挿入口へ排出される方向）に駆動を繰り返しながら、カードを搬送することを指す。また、間欠搬送に対して、所定の一定速度で搬送させることを一定速度搬送と呼ぶ。
【００２５】
センサ２５によって磁気カード２１の搬送状況を監視し、磁気カード２１が磁気ヘッド２６を通過したら（ステップＳ６でＹＥＳ）、磁気カード２１を逆方向に間欠搬送する（ステップＳ７）。磁気カード２１が磁気ヘッド２６を通過したら（ステップＳ８でＹｅｓ）、ステップＳ４に戻り、それまでのステップＳ５〜Ｓ８の一連の間欠搬送処理の実施回数を確認し、所定回数未満であれば（ステップＳ４でＮｏ）、上述の処理を繰り返して実行する。なお、上述の「磁気カード２１が磁気ヘッド２６を通過」とは、磁気カード２１が磁気ヘッド２６上を搬送されていき、搬送方向におけるカード２１の後端が磁気ヘッド２６の位置を超えた状態をいう。
【００２６】
ここで、Ｓ５〜Ｓ８で規定する間欠搬送処理（第一の間欠搬送処理と称する）が所定の回数(Ｎ回)を超えたら（ステップＳ４でＹｅｓ）、磁気カード２１を正方向に一定速度で搬送する（ステップＳ９）。磁気ヘッド２６を通過し始めたら（ステップＳ１０でＹｅｓ）、磁気ヘッド２６を通過し終わるまで、磁気カードの磁気情報を読取り、又は書込む（ステップＳ１１、Ｓ１２）。
【００２７】
次に逆転方向にカードを間欠搬送させる（ステップＳ１３）。磁気ヘッド２６を通過したら（ステップＳ１４でＹｅｓ）、再び正転方向に磁気カード２１を磁気ヘッド２６を通過するまで間欠搬送する（ステップＳ１５、Ｓ１６）。以上のステップＳ１３〜Ｓ１６で規定する間欠搬送処理（第二の間欠搬送処理と称する）が、カード処理装置２で設定されていた所定の回数(Ｍ回)を超えたら（ステップＳ１７でＹｅｓ）、モータを停止する（ステップＳ１８）。
【００２８】
以上のような搬送制御を行うことによって、カード処理装置２は、モータを駆動しながら、センサ２５でカード位置を確認することで、磁気カード２１が間欠搬送されていないタイミング（ステップＳ９〜Ｓ１２）で、磁気ヘッド２７で磁気カード２１の磁気情報を読取り、又は書き込むことができる。しかし、不正装置２６はカード位置、及びカード搬送方向を知ることができないので、磁気カード２１を読み取る適切なタイミングを判断することができない。このため、カードを間欠搬送している時にも磁気カード２１の磁気情報を取得することとなり、正しい磁気情報を読取ることができない。
【００２９】
なお、上述の説明では、第一の間欠搬送処理および第二の間欠搬送処理のいずれも搬送方向の切り替えは磁気カード２１が磁気ヘッドを完全に通過した直後に行うこととしている、すなわち、磁気ヘッド２６に対して磁気カード２１の搬送方向の全長分の距離を間欠搬送したタイミングで搬送方向の切り替えを行うこととしているが、これに限らず、磁気カードの全長よりも長い距離を間欠搬送したタイミングで搬送方向を切り替えてもよいし、磁気カードの全長よりも短い距離を間欠搬送したタイミングで搬送方向を切り替えてもよい。
【実施例２】
【００３０】
以下、この実施形態のカード処理装置２の動作について説明する。図４（ａ）は第２の実施形態における処理を説明するフロー図である。図４のように、カード処理装置２は磁気カード２１の挿入を検知した時に（ステップＳ３１、Ｓ３２）、シャッタ２３を開け（ステップＳ３３）、カード搬送速度を設定し（ステップＳ３４）、磁気カードを正方向（磁気カード２１が挿入口２０から内部へ取り込まれる方向）に速度変更搬送させる（ステップＳ３５）。
【００３１】
すなわち、磁気カード２１がカード処理装置２内部に取り込まれた後、常に一定の速度でカードを搬送するのではなく、搬送速度を少しずつ変化させて搬送する。特に、磁気ヘッド２６が磁気カード２１を読み取る期間内は速度変更搬送させることが望ましい。
【００３２】
カード搬送速度の設定は、図５のようにテーブル表があり、２．０倍速（Ｓ５１）、１．４倍速（Ｓ５２）、１．０倍速（Ｓ５３）、０．７倍速（Ｓ５４）、０．５倍速（Ｓ５５）を選択できるようにし、テーブル表内の指定された速度でカードを搬送する。これを速度変更搬送と呼ぶ。
【００３３】
例えば、磁気ヘッド２６が磁気カード２１を読み取る期間をＴ（ｓｅｃ）とした場合、最初のＴ１（ｓｅｃ）間は２．０倍速（Ｓ５１）で搬送し、次のＴ２（ｓｅｃ）間は１．４倍速（Ｓ５２）で搬送し、次のＴ３（ｓｅｃ）間は１．０倍速（Ｓ５３）で搬送し、次のＴ４（ｓｅｃ）間は０．７倍速（Ｓ５４）で搬送し、最後のＴ５（ｓｅｃ）間は０．５倍速（Ｓ５５）で搬送する（Ｔ＝Ｔ１＋Ｔ２＋Ｔ３＋Ｔ４＋Ｔ５）。なお、テーブルは図５の例に限らず、通常の定速に対して０．５倍〜２倍の範囲の任意の値で良い。
【００３４】
そして、カード処理装置２は、磁気ヘッド２６から磁気信号を取得し（ステップＳ３６）、カード搬送速度に従って、磁気信号を変換し、磁気情報に読取る（ステップＳ３７）。磁気ヘッド２６を通過したら（ステップＳ３８）、モータを停止する（ステップＳ３９）。
【００３５】
以上のように、少なくとも磁気ヘッド２６が磁気カード２１を読み取る期間においてはカードの搬送速度が一定になっていないため、不正装置２７は仮に磁気カード２１から磁気データを取得したとしても、有意の信号として認識（デコード）することはできない。一方、カード処理装置２は、自身で搬送速度の設定を行っているため、搬送速度を考慮したデコードを行うことによって、正しいデータ信号を取得することが可能となる。
【００３６】
同じ方法で、磁気カードの書き込みも実現できる。図４（ｂ）は速度変更搬送にて磁気カード２１へのデータの書き込みを行う場合のフローである。カード処理装置２は磁気カード２１の挿入を検知した時に（ステップＳ４１）、シャッタ２３を開け（ステップＳ４２）、カード搬送速度を設定し（ステップＳ４４）、カードを正方向に速度変更搬送させる（ステップＳ４５）。そして、カード処理装置２は、カード搬送速度に従って、磁気ヘッドから磁気カード２１に磁気情報を書込む（ステップＳ４６）。磁気ヘッド２６を通過したら（ステップＳ４７）、モータを停止する（ステップＳ４８）。
【００３７】
以上説明した実施例１および実施例２の処理は、それぞれ独自に実施しても不正装置による磁気カードデータの不正読取を防止することが可能であるが、各々の実施例を組み合わせた構成とすると、磁気カードデータの不正読取をより強固に防止することが可能となる。
【符号の説明】
【００３８】
１…自動取引装置、２…カード処理装置、３…磁気情報書込部、４…磁気情報読取部、５…カード搬送路、６…カード位置センサ、７…メモリ、８…ホストインタフェース、９…カード搬送機構、１０…制御部、１１…カード書込制御部、１２…カード読取制御部、１３…カード搬送制御部、２１…磁気カード、２２…挿入検知センサ、２３…シャッタ、２４…ローラ、２５…センサ、２６…磁気ヘッド、２７…不正装置
【図１】
2018173684.tif 000003
【図２】
2018173684.tif 000004
【図３（ａ）】
2018173684.tif 000005
【図３（ｂ）】
2018173684.tif 000006
【図４（ａ）】
2018173684.tif 000007
【図４（ｂ）】
2018173684.tif 000008
【図５】
2018173684.tif 000009